(57)【要約】      （修正有）【課題】クルマエビ科のエビを、従来皆無であった踊り食い可能な状態にて良好な食感を伴いつつ供することができるエビ料理の提供方法を提供する。【解決手段】クルマエビ科に属する稚エビを閉鎖型の陸上養殖池にて、与える飼料の総重量に占めるカルシウム含有率を２質量％以下に制限しつつ３ｃｍ以上１２ｃｍ以下に設定される目標体長に至るまで飼育する。水で満たした主食器６０に目標体長に達した活きエビＳＰを泳がせた状態で盛り付けることにより踊り食い可能な形態で提供する。【選択図】図１５
2019092440.tif 000002
【特許請求の範囲】
【請求項１】
クルマエビ科に属する稚エビを閉鎖型の陸上養殖池にて、与える飼料の総重量に占めるカルシウム含有率を２質量％以下に制限しつつ３ｃｍ以上１２ｃｍ以下に設定される目標体長に至るまで飼育するとともに、前記目標体長に達した活きエビを前記陸上養殖池より収穫し、水で満たした主食器に前記活きエビを泳がせた状態で盛り付けることにより踊り食い可能な形態で提供することを特徴とするエビ料理の提供方法。
【請求項２】
前記活きエビは、与える飼料の総重量に占めるカルシウム含有率を１質量％以下に制限しつつ飼育されたものを使用する請求項１記載のエビ料理の提供方法。
【請求項３】
前記活きエビが、バナメイエビ、ウシエビ、クマエビ及びコウライエビより選ばれるいずれかである請求項１又は請求項２に記載のエビ料理の提供方法。
【請求項４】
前記活きエビの前記目標体長が３．５ｃｍ以上５ｃｍ以下に設定される請求項１ないし請求項３のいずれか１項に記載のエビ料理の提供方法。
【請求項５】
前記活きエビは、魚、イカ、タコ、貝類及び甲殻類より選ばれる１種以上の魚介肉とでんぷん質との混合物を前記飼料として用いて飼育されたものが使用される請求項１ないし請求項３のいずれか１項に記載のエビ料理の提供方法。
【請求項６】
前記活きエビは、巡回流発生機構を有した前記陸上養殖池にて巡回流に逆らって遊泳させることにより脱皮促進したものが使用される請求項１ないし請求項５のいずれか１項に記載のエビ料理の提供方法。
【請求項７】
前記活きエビは、腐植形成微生物と共存させた状態で飼育されたものが使用される請求項１ないし請求項６のいずれか１項に記載のエビ料理の提供方法。
【請求項８】
前記陸上養殖池は二価鉄を含有する鉱物モジュールに水を流通させつつ循環されるものであり、前記活きエビは前記鉱物モジュールから溶出した二価鉄を含有する水中にて前記腐植形成微生物と共存させた状態で飼育されたものが使用される請求項７記載のエビ料理の提供方法。
【請求項９】
前記陸上養殖池は塩分濃度が２質量％以下の汽水が循環流通されるものであり、前記活きエビは該汽水中にて前記腐植形成微生物と共存させた状態で飼育されたものが使用される請求項７又は請求項８に記載のエビ料理の提供方法。
【請求項１０】
前記活きエビは、前記陸上養殖池から収穫した後、塩分濃度が０．５質量％以下の養生水中にて消毒処理後、前記主食器に盛り付けられる請求項１ないし請求項９のいずれか１項に記載のエビ料理の提供方法。
【請求項１１】
前記養生水として残留塩素濃度が０．１ｍｇ／Ｌ以上１．０ｍｇ／Ｌ以下の水道水が使用される請求項１０記載のエビ料理の提供方法。
【請求項１２】
前記活きエビを泳がせるための前記主食器に満たす水として塩分濃度が１質量％以下のものが使用される請求項１ないし請求項１１のいずれか１項に記載のエビ料理の提供方法。
【請求項１３】
前記活きエビを泳がせるための前記主食器に満たす前記水として残留塩素濃度が０．１ｍｇ／Ｌ以上１．０ｍｇ／Ｌ以下の水道水が使用される請求項１２記載のエビ料理の提供方法。
【請求項１４】
前記主食器として、前記水と前記活きエビとを投入するための開口を有した本体と、前記水と前記活きエビとを投入した前記本体の前記開口を着脱可能に閉鎖する蓋部とを備えたものが使用される請求項１ないし請求項１３のいずれか１項に記載のエビ料理の提供方法。
【請求項１５】
前記主食器とは別の器に満たした前記活きエビのつけ汁が合わせて提供されるとともに、該つけ汁用の前記器として蓋付きのものが使用され、該蓋付きの器中にて前記つけ汁を前記活けエビに吸わせて食することが可能とされた請求項１４記載のエビ料理の提供方法。
【請求項１６】
前記主食器に盛り付けられた前記活きエビとともに熱汁で満たした鍋が提供され、前記活けエビを該鍋の前記熱汁にくぐらせて食することが可能とされた請求項１４記載のエビ料理の提供方法。
【請求項１７】
クルマエビ科に属する稚エビを閉鎖型の陸上養殖池にて、与える飼料の総重量に占めるカルシウム含有率を２質量％以下に制限しつつ３ｃｍ以上２０ｃｍ以下に設定される目標体長に至るまで飼育することを特徴とするエビの養殖方法。
【発明の詳細な説明】
【技術分野】
【０００１】
この発明はエビ料理の提供方法に関するものであり、特にエビを生きて泳がせた状態で提供する料理の提供方法及びエビの養殖方法に関するものである。
【背景技術】
【０００２】
エビは我が国で最も好まれる魚介類の一つであり、特にクルマエビ、バナメイエビ、ウシエビ（通称：ブラックタイガーエビ）、クマエビ及びコウライエビ（通称：タイショウエビ）などのクルマエビ科に属するエビは、大型でぷりぷりした食感を特徴とする食べ応えのある品種で人気があり膨大な量が消費されている。
【０００３】
上記の品種は冷凍輸入品が多く市場に出回っており、てんぷらやフライといった加熱調理形態で食するが一般的である。一方、近海で漁獲された高級品種の車エビは、一部のものが活きエビとしてすし屋や料亭などに卸され、生きたまま殻をむいて刺身で食する「踊り」と称される調理方法が珍重されている。
【０００４】
他方、他品種のごく一部のエビ、具体的には小型の深海品種であるサクラエビについては、成長しきっても３〜４ｃｍ程度までであり、殻も柔らかいので丸ごとかき揚げやから揚げにしたり、トッピングに用いたりする食べ方が一般化している。また、この品種については、駿河湾をはじめとした大消費地に近い漁場が存在し、清水や興津といった水揚げ港の近隣を中心に、季節にはどんぶりなどの具として生のサクラエビが供されている。そして、その究極の食べ方として、生きたサクラエビを、海水を張った食器中で泳がせ、これを生きたまま箸でつまんで食する「踊り食い」が一部の店舗で実施されている（非特許文献１）。また、こうした踊り食いを前提とした宅配サービスも行われている（非特許文献２）。通常のサクラエビと比較して身の弾力と甘さは段違いともいわれ、反響を呼んでいる。
【先行技術文献】
【非特許文献】
【０００５】
【非特許文献１】鮨処やましちインターネットホームページ（http://yamashiti.jugem.jp/?cid=1）
【非特許文献２】全国の地方新聞社厳選お取り寄せサイト  よんななクラブ（http://www.47club.jp/18M-000076age/goods/detail/10040187）
【非特許文献３】インターネットショップ特正本店ホームページ（http://tokushou.co.jp/ebi/ebi23.html）
【発明の概要】
【発明が解決しようとする課題】
【０００６】
しかしながら、サクラエビ自体は前述の通り深海にしか生息しない養殖不能な品種であり、踊り食いに供されているのは天然もののみであるから、収穫期（４月ないし５月）以外は賞味することができず、数量も極めて限られたものとなる。そこで、サクラエビ以外の養殖可能な品種のエビ、特に消費量の大きいクルマエビ科のエビ（例えばバナメイエビ）を利用することが考えられる。しかし、クルマエビ科のエビについては、次の理由により踊り食いないしこれに準じた調理方法は全く試みられてこなかった。
（１）クルマエビ科のエビのほとんどは３〜４ｃｍの体長でもサクラエビと比較して殻が堅く、踊り食いしたときの食感が非常に悪く、消化も悪いため食べた後の胃への負担が大きい。
（２）サクラエビについてもそうであるが、海から水揚げされたエビを生きたまま料理として供しようとする場合、寄生虫や病原性微生物類（特に腸炎ビブリオ菌等）を排除するための処置や管理に非常にコストがかかる。
（３）サクラエビが成長末期のサイズでそのまま踊り食いに供されるのに対し、クルマエビ科のエビは踊り食いに適すると思われるサイズは稚エビ段階に近く弱りやすい。特に、消毒のための養生期間から、料理として供したときの器の中での保持期間に至るまで活かし続けた状態を保つのは容易ではない。この事情は、サクラエビの場合にもある程度当てはまることであり、例えば非特許文献２には次のような記載がある。
「なお「桜えび」は、たいへんデリケートな生き物のため、到着時、少し弱っているものがありますが、ご了承のうえ、ご理解いただいた方のみお受けいたします。」
【０００７】
本発明の課題は、養殖可能なクルマエビ科のエビについて、従来皆無であった踊り食い可能な状態にて良好な食感を伴いつつ供することができるエビ料理の提供方法と、踊り食いに好適な軟質の殻をもつエビを効率的に養殖する方法とを実現することにある。
【課題を解決するための手段】
【０００８】
上記課題を解決するために、本発明のエビ料理の提供方法は、クルマエビ科に属する稚エビを閉鎖型の陸上養殖池にて、与える飼料の総重量に占めるカルシウム含有率を２質量％以下に制限しつつ３ｃｍ以上１２ｃｍ以下に設定される目標体長に至るまで飼育するとともに、目標体長に達した活きエビを陸上養殖池より収穫し、水で満たした主食器に活きエビを泳がせた状態で盛り付けることにより踊り食い可能な形態で提供することを特徴とする。また、本発明のエビの養殖方法は、クルマエビ科に属する稚エビを閉鎖型の陸上養殖池にて、与える飼料の総重量に占めるカルシウム含有率を２質量％以下に制限しつつ３ｃｍ以上２０ｃｍ以下に設定される目標体長に至るまで飼育することを特徴とする。
【０００９】
クルマエビ科のエビに限らず、エビは稚エビ段階から脱皮を繰り返して成長する。エビの殻は多糖類であるキチン質を主成分とし、タンパク質、カロテノイドなどの色素、及びカルシウム塩を中心とした無機塩類などと複合した構造体として形成されている。このとき、カルシウム塩の含有量が高くなるほどエビの殻は固くなる傾向にある。
【００１０】
本発明者は、クルマエビ科のエビの陸上養殖に長年携わってきた経験において、エビに与える飼料に、丈夫で保護力の高い殻を形成するため通常配合されるカルシウム源（例えば牡蠣殻粉末など）の配合量について鋭意検討を行った。その結果、従来エビの成長に不可欠と見られていたカルシウム源の配合をあえて制限して養殖を継続した場合、エビの成長は意外にも妨げられず、脱皮の際に新たに形成される殻がカルシウムの摂取が抑制される分、通常よりも軟化することがわかった。そして、さらに検討した結果、与える飼料の総重量に占めるカルシウム含有率を２質量％以下（０質量％を含む）に制限しつつ３ｃｍ以上１２ｃｍ以下の大きさまでエビを成長させた時、生きたまま食しても殻の固さが気にならず、クルマエビ科のエビの弾力（プリプリ感）と甘みは、究極の鮮度のみが実現する最高レベルにまで引き立てられるようになることを見出し、本発明を完成するに至ったものである。これにより、従来のサクラエビを大きく凌駕する味わいを有したエビの踊り食いが可能となる。また、閉鎖系の陸上養殖池にて品質管理された飼料に基づき生育するエビは寄生虫等の懸念が皆無であり、水質も一定に保たれるので生食に関する安全性も大きく向上する。
【００１１】
なお、カルシウム成分を多く配合した通常の飼料を用いて養殖したクルマエビであっても、脱皮した直後のものは殻が柔らかく、「ソフトシェルシュリンプ」と称され市販されている（例えば、非特許文献３）。上記非特許文献３には、次のような記載がある。
「海老は通常、成長の過程で脱皮を繰り返しますが、それ以外にも、強いストレスがかかると脱皮してしまう場合があります。養殖池で水揚げし、冷凍加工場へ運送中のストレスによって脱皮してしまった海老を集めて、急速冷凍したのが、ソフトシェルシュリンプです。ソフトシェルシュリンプは、頭を残していますので、殻・海老味噌にある海老本来の風味を味わって頂く事が出来ます。また、殻にはカルシウム、キトサンが多く含まれており、それらを効率良く摂取する事ができます。一般的な海老料理であれば、そのままお使いになれます。海老フライ・唐揚げ・エビチリ等々。今まで頭を落とし、殻をとった状態で調理していた海老料理も、新しい食感・風味で召し上がっていただく事ができます。」
【００１２】
しかし、上記文献の記載からも明らかな通り、ソフトシェルシュリンプはストレスにより偶発的に脱皮したものを集めたものであって、カルシウム成分を抑制した飼料により殻のカルシウム含有量を意図的に減少させ、ソフト化したものとは根本的に相違する。このことは、上記文献において「また、殻にはカルシウム、キトサンが多く含まれており、それらを効率良く摂取する事ができます。」と記されていることからも明らかである。また、本発明のようにカルシウム成分を抑制した飼料により陸上養殖したクルマエビ科のエビは、偶発的に脱皮したものを用いるソフトシェルシュリンプと異なり、脱皮時期とは無関係に大半が安定して殻の柔らかい状態で収穫できる利点もある。
【００１３】
本発明においては、水で満たした主食器に目標体長に達した活きエビを泳がせた状態で盛り付けることにより踊り食い可能な形態で提供する。実際に踊り食いにするかどうかは料理を実際に食べる人の判断にゆだねられるのであって、例えば口の中でも生きて動く食感に抵抗のある人は、主食器内かあるいは後述するつけ汁の中で動かなくなるのを待って食することも当然可能である。この場合も、生きたまま食するのに限りなく準じた鮮度でエビを味わうことができる。
【００１４】
また、活きエビを泳がせた状態で盛り付けて提供するとともに、料理が出された後、被提供者自身による加熱プロセスを経て食されるように提供してもよい。この場合も、加熱の直前まで生きていたエビを使用するため鮮度については踊り食いに近い状態を確保することができる。また、加熱により甘みや香りがより引き立つほか、殻が加熱によりさらに軟化してかみ砕きやすくなるので食感が向上し、若干大きく育ったエビであっても殻ごと（例えば頭ごと）食べられる利点が生ずる。例えば、主食器に盛り付けられた活きエビとともに熱汁で満たした鍋を提供し、活けエビを該鍋の熱汁にくぐらせて食することが可能である。従来、鍋の具としてエビを用いる場合、生きていても火が通ってから殻をむいて食べるのが一般的であったが、本発明では殻が軟化した状態で生育したエビを用いるため、生きたエビをしゃぶしゃぶのごとく湯にくぐらせ、殻つきのまま丸ごと食するという斬新な食べ方が実現する。
【００１５】
本発明において料理に供するエビの体長を３ｃｍ以上１２ｃｍ以下に限定するのは、３ｃｍ未満ではエビが小さすぎ、一匹ずつ食する踊り食いの形態に鑑みたときの満足感が乏しくなるとともに、料理として成立する分量だけ盛り付けようとしたときエビの数を大きく確保しなければならず、コストアップが避けがたくなるためである。この場合、エビの体長は、より望ましくは３．５ｃｍ以上、さらに望ましくは４ｃｍ以上に確保されているのがよい。従来、踊り食いが実現しているサクラエビの場合、３．５ｃｍ以上あるいは４ｃｍ以上のサイズは上限に近い大型ともいえ、深海性で養殖自体が不能のため、このサイズのものだけを集めるのは非常に大変である。しかし、陸上養殖が可能なクルマエビ科のエビは、数ミリの稚エビ段階から起算しても数か月程度で当該の体長まで一律に到達し、大きさの揃ったものを容易に入手できるため、踊り食いというこれまで特異であった料理形態を一挙に普及させることが可能となる。
【００１６】
他方、エビの体長が１２ｃｍを超えると、踊り食いにする場合はもちろん、前記のように加熱して用いる場合でも殻が厚く固くなりすぎ、殻ごと食べる場合の食感が損なわれる。特に加熱せず踊り食いするのに好適なエビの体長は１０ｃｍ以下、より望ましくは７ｃｍ以下、さらに望ましくは６ｃｍ以下である。一方、踊り食いに限定せず、揚げ物や煮物などの加熱調理を前提にする場合は、加熱により殻が軟化することから、より大きい個体まで成長させても殻（あるいは頭）ごと食べさせることが十分可能であり、この場合のエビの体長の上限は２０ｃｍ程度まで引き上げることができる。
【００１７】
次に、本発明においてエビに与える飼料については、カルシウム含有率が２質量％を超えると、上記の体長のクルマエビ科のエビを踊り食いにする際に殻が堅くなりすぎ、食感が損なわれることにつながる。飼料のカルシウム含有率はより望ましくは１質量％以下、より望ましくは０．５質量％以下とするのがよく、本発明者の経験によると、カルシウム含有率を完全にゼロとしても、クルマエビ科のエビは十分生育可能であることが判明している。カルシウムは、エビの殻の主成分であるキチンの必須構成成分ではなく、カルシウムをほとんど含有しないキチンであっても単体で十分な保形性がある。上記の事実は、エビの殻におけるカルシウムは、外敵から身を守るために殻の固さを増加させる副次的な成分に過ぎないのであって、殻自体の成長や脱皮には必須でないことを示しているといえる。
【００１８】
すなわち、エビの成長にとってカルシウムは必須の成分ではなく、全くカルシウムを含有しない飼料を用いても、エビの成長には本質的な影響が及ばない、ということである。この点は、エビ養殖業界において看過されてきた重要なポイントの一つと言える。ただし、エビを特に高密度で養殖しようとしたとき、殻があまりに柔らかいと共喰いが進展しやすい場合があり、踊り食いに適した殻の柔らかさを維持できる範囲内で、通常の養殖条件よりは抑制した配合量にてカルシウムを添加した飼料を一時的に施した方がよい場合もありえる。こうした場合も含め、本発明においてエビに与える飼料については、養殖開始から収穫までの全期間の合計量においてカルシウム含有率が２質量％以下に制限されていればよく、脱皮時期等を考慮して２質量％を超えるカルシウムを含有した飼料を一時的に施すことは可能である。
【００１９】
本発明にて使用するクルマエビ科の活きエビとしては、代表種であるクルマエビとすることも可能ではあるが、クルマエビは水底の砂中に潜って生育する習性があるため池中での飼育密度が上げられず、養殖といえども別格の高級品種となるので、これを数ｃｍ程度で食してしまうのは料理としては極度に高価につく問題がある。したがって、従来、冷凍を中心とした輸入エビに頼っていた普及品種、特に、バナメイエビ、ウシエビ（通称：ブラックタイガーエビ）、クマエビ及びコウライエビ（通称：タイショウエビ）より選ばれるいずれかを用いるのがよい。このうち、バナメイエビは、生育が早く、養殖密度も上げやすいこと、及び味にも優れるのでコストパフォーマンスが高いこと、殻がより柔らかいこと、遊泳力が強く、踊り食いしたときの活きのよさが際立つこと、などから本発明に特に好適に採用できる。
【００２０】
次に、活きエビは、魚、イカ、タコ、貝類及び甲殻類より選ばれる１種以上の魚介肉とでんぷん質との混合物を飼料として用いて飼育されたものを使用するのがよい。こうした形態の飼料はエビが好んで食べるので、生育を早めることができる。魚ないし甲殻類の肉を使用する場合、カルシウム含有量が前述の範囲を逸脱しないよう、骨や殻の成分がなるべく排除されたものを用いることが望ましい。でんぷん質は飼料のバインダーの役割も兼ねており、小麦粉や片栗粉などを使用できるが、自動給餌のためのペレタイジングを考えた場合、より粘結性の高い小麦粉の使用が推奨される。魚介肉の配合比率は特に制限はないが、例えば２０質量％以上９０質量％以下である（残部が例えばでんぷん質）。
【００２１】
活きエビは、巡回流発生機構を有した陸上養殖池にて巡回流に逆らって遊泳させることにより脱皮促進したものを使用するのがよい。活きエビを使用する料理の中でも、踊り食いについては、客に出された後も器の中で食べる直前まで生きて泳いでいる状態を保つ必要があり、鮮度及び活性度については最高のものが求められる。上記のように、陸上養殖池にて巡回流に逆らって遊泳させつつ生育させたエビは、池中でよく運動しているため収穫してからも活性度が高く、器の中や、あるいは後述する消毒養生処理中も元気に泳ぎ続ける状態を長時間維持することができる。また、遊泳中に脱皮が促進される結果、飼料に配合されるカルシウム成分が抑制された状態で体長が急速に増加するため、エビの殻は、より柔らかく薄い踊り食いに適したものとなる。
【００２２】
また、活きエビは、腐植形成微生物と共存させた状態で飼育されたものを使用するとさらによい。池中にてエビと腐植形成微生物とを共存させると、エビの排泄物や死骸を栄養源として腐植形成微生物の活動が活発化し、水質汚染の原因となる腐敗物質が腐植化される。これにより、池の水質が清浄に保たれ水中の酸素欠乏も抑制されるので、池中を遊泳するエビは水底付近で活発に活動できるようになり、上述の効果がさらに高められる。
【００２３】
この場合、陸上養殖池は二価鉄を含有する鉱物モジュールに水を流通させつつ循環させるものを使用できる。活きエビは、鉱物モジュールから溶出した二価鉄を含有する水中にて腐植形成微生物と共存させた状態で飼育されたものが使用されることとなる。この形態は、河川等の流入がある近海湾内に類似した、エビの生育に好都合な環境を疑似的に与えるものである。すなわち、近海の湾へは森林からの腐植形成微生物を含む有用微生物が溶け込んだ河川水が腐植とともに流入する。この河川水には、土壌中に含有される微量の鉄成分が含まれるが、特に火成岩を中心に多く含有される還元性の二価鉄（Ｆｅ（ＩＩ）イオン：主として酸化鉄（ＩＩ）の形態）成分は、腐植の主成分であるフルボ酸鉄やフミン酸鉄等の鉄錯体形成に必須であることが知られている（ちなみに、腐植に含有される二価鉄成分は植物（あるいは植物性プランクトン）の生育促進においても重要な役割を果たす）。
【００２４】
従って、腐植形成微生物を含む陸上養殖池の水は、二価鉄成分を含有することで腐植形成微生物の増殖ひいてはエビの排泄物や死骸の腐植化が促進され、また、浮遊する腐植質を核とした腐植形成微生物のフロック形成とその安定化にも寄与する。その結果、閉鎖された陸上養殖池の水を長期にわたって清浄に保つことができる。これは当然、池内で生育するエビの脱皮及び成長促進と活性度向上（踊り食い形態で提供する際の活きの良さ）にも寄与する。また、二価鉄を含有する鉱物モジュール（玄武岩、安山岩、溶岩など、火成岩系の鉱物である）は、溶出する二価鉄イオンが錯体化しやすく、微生物による腐植形成時に特に取り込まれやすい特性があること、鉱物中の二価鉄は徐放性であり、薬剤等と異なり頻繁な添加作業が不要であるなど、本発明に採用する上で好適である。
【００２５】
また、陸上養殖池は水として塩分濃度が２質量％以下の汽水が循環流通されるものを用い、活きエビは該汽水中にて腐植形成微生物と共存させた状態で飼育されたものを使用するとさらによい。汽水域では腐植形成微生物の活性及び繁殖がより顕著であり、池内で生育するエビの脱皮及び成長促進と活性度向上の効果はさらに高められる。
【００２６】
踊り食い形態で活きエビを提供する場合、エビを泳がせる食器中の水は、料理が過度に塩辛くならないよう塩分濃度（例えば１重量％以下：特に淡水）を下げることが望ましい。すなわち、活きエビを泳がせるため主食器に満たす水として塩分濃度が１質量％以下のものを使用することが望ましい。汽水中で生育したエビは塩分濃度の低い水中でもより長時間活かしておくことが可能となり、こうした低塩分濃度の水とともに盛り付けた場合においても、より活きのよい状態で踊り食いを楽しむことができる。
【００２７】
前述の通り、閉鎖された陸上養殖の場合、活きエビに寄生虫が取り込まれるリスクはほとんどないが、海産のエビの場合問題になるのは、海水中に生息する病原性菌、特に腸炎ビブリオ菌の残留である。腸炎ビブリオ菌は好塩性のグラム陰性桿菌であり、海水と淡水が混じり合う汽水域を中心に沿岸の海水中に広く棲息することが知られている。魚介類に付着した腸炎ビブリオ菌は１５℃以上の気温で急速に増殖する。生鮮海産物を扱う料理店等では、腸炎ビブリオ菌の増殖がほぼ不活性化する４℃以下にて食材を保管することが厳重に励行されている。また腸炎ビブリオ菌は塩分濃度が３重量％程度のとき増殖を最も引き起こしやすいといわれているが、逆に塩分濃度の低い水、具体的には塩分濃度が０．５質量％以下の水（特に、真水）に触れると死滅する特性も有する。したがって、魚介類を生食させる場合は、真水でよく洗うことが有効であることはよく知られた事実である。
【００２８】
クルマエビ科のエビは海水中ないし汽水中での養殖となり、かつ、エビの活動を活発化するために池の水温は２３℃〜２８℃に保たれるから、この池から収穫されるエビは腸炎ビブリオ菌に対して恰好の増殖環境が与えられているともいえる。そこで、本発明の場合、活きエビは、陸上養殖池から収穫した後、塩分濃度が０．５質量％以下の養生水中にて消毒処理後、主食器に盛り付けるとよい。特に、養生水として残留塩素濃度が０．１ｍｇ／Ｌ以上１．０ｍｇ／Ｌ以下の水道水を使用することが、腸炎ビブリオ菌を確実に死滅させる上で最も簡単で安価な方法となる（これは、我が国の水道水にて採用されている殺菌用の塩素の標準的な濃度範囲である）。
【００２９】
この場合、養生時間は最低でも３０分程度、好ましくは１時間以上２時間以下の範囲内で行うことが望ましいが、塩分濃度の低い養生水、特に塩素を含んだ水道水中では、エビの衰弱が進みやすいジレンマがある。したがって、こうした養生処理に耐えきるだけの体力をエビに付加することが、クルマエビ科のエビの踊り食いを実現する上では重要である。前述したごとく、巡回流に逆らって遊泳させることにより脱皮促進すること、あるいは、腐植形成微生物と共存させた状態（特に鉱物モジュールから溶出した二価鉄を含有する水中にて腐植形成微生物と共存させた状態）で飼育することで、こうした低塩分濃度の養生水中でも相当の長時間活かしておけるエビが得られ、より元気のよい状態で活きエビを踊り食いに供することが可能となる。この場合、活きエビを泳がせるための主食器に満たす水として、残留塩素濃度が０．１ｍｇ／Ｌ以上１．０ｍｇ／Ｌ以下の水道水を使用することは手軽で安価な方法であり、上記のごとく長時間活かしておくことのできるエビの場合には特に有効な手法となる。
【００３０】
踊り食いに供する場合、クルマエビ科のエビは小型でも非常に動きが活発で、活きのよいエビの場合は盛り付けた食器の外に跳ねて飛び出してしまうこともある。そこで、主食器として、水と活きエビとを投入するための開口を有した本体と、水と活きエビとを投入した本体の開口を着脱可能に閉鎖する蓋部とを備えたものを使用すれば、エビの飛び出しを効果的に防止することができる。また、主食器とは別の器に満たした活きエビのつけ汁を合わせて提供することも可能であるが、該つけ汁用の器として蓋付きのものを使用すれば、該蓋つきの器中にてつけ汁を活けエビに吸わせることができ、より美味に食することが可能となる。
【００３１】
陸上養殖池中に巡回流を発生させることは、カルシウム成分を制限した給餌条件にて脱皮促進し、殻がより柔らかく踊り食いしたときの食感が良好なエビを得る上で望ましいことをすでに述べた。この場合、簡易な機構により巡回流を発生できる池構造として下記のようなものを例示できる。すなわち、方形の底部を有するとともにその周縁に沿って側壁が形成された池本体と、池本体を満たす水中に沈める形で底部上に配置され、外部から供給される酸素含有気体を水面に向けて噴き上げる主散気部と、一端に池本体の水を流出させる流出口が形成され、他端に池本体に水を流入させる流入口が形成された循環管路と、循環管路上に設けられた循環ポンプとを備え、
池本体の方形の平面外形線において、互いに隣接する二辺のうち第一辺に沿う向きを幅方向、第二辺に沿う向きを奥行方向と定義したとき、循環管路の流入口が奥行方向第一端側にて幅方向第一端側に寄せて開口形成される一方、流出口が幅方向第二端側にて、流入口と奥行方向第二端側壁部との間に位置するように開口形成され、
主散気部の底部における配置位置が、奥行方向においては奥行方向第二端側壁部からの距離が流入口と流出口とを結ぶ仮想線からの距離よりも小さくなり、かつ、幅方向においては幅方向中心線からの距離が、流入口及び流出口のいずれからの距離よりも小さくなるように定められ、
主散気部が形成する幅方向第二端側壁部と奥行方向第二端側壁部とに沿う壁面流に、流入口からの流れの一部を取り込みつつ合流させ、流入口から幅方向第一端側壁部、奥行方向第二端側壁部及び幅方向第二端側壁部に順次沿って流出口に向けて流れる迂回巡回流を形成する。
【００３２】
上記の位置関係で水循環のための流入口及び流出口とを池本体に形成し、池底部に上記の位置関係で主散気部を配置することで、流入口より入った水が主散気部からの気流により池本体の側壁に沿って迂回しつつ流出口に向かう流れが形成され、ひいては池本体の側壁内周に沿った緩やかな巡回流を定常的に形成できるようになる。その結果、極めて簡単な機構によりながら、酸欠等の水流死角が池本体内に形成されにくくなり、より個体数密度の高い陸上養殖が可能となる。また、形成される水流は緩やかであり、稚エビや稚魚など養殖対象種が小さい場合も、水流に逆らった遊泳が容易となり、ストレスが溜まりにくく、死滅率の低い健全な養殖状態を維持できる。なお、流入口と流出口は、各々複数孔の開口として形成することも可能である。この場合、流入口と流出口の空間的な位置は、複数の開口の中心の空間的な平均座標点により定められるものとする。
【００３３】
上記の池構造において迂回巡回流が顕著に形成される理由は次のごとくである。すなわち、池本体はごく単純な方形平面形状に形成され、中の貯留水は池外部の循環管路を経てポンプにより循環流動される。その循環のための水の流入口は、奥行方向第一端側にて幅方向第一端側に寄せて開口形成される。他方、流出口は幅方向第二端側にて、流入口と奥行方向第二端側壁部との間に位置するように開口形成される。幾何学的な厳密性を無視して表現すれば、奥行方向第一端側の一方の角部付近にある流入口から池本体内に水が入り、幅方向においてこれと反対側にある側壁部（幅方向第二側壁部）の中間付近に開口する流出口から水が流れ出るイメージである。これにより、前記角部から池本体に入った水は、反対の側壁部中間付近に向け、上記の仮想線に沿って斜めに流れようとする。
【００３４】
他方、池の底部には、奥行方向においては奥行方向第二端側壁部からの距離が流入口と流出口とを結ぶ上記仮想線からの距離よりも小さくなり、かつ、幅方向においては、幅方向中心線からの距離が、流入口及び流出口のいずれからの距離よりも小さくなる位置に主散気部が配置される。これにより、池本体の幅方向の中間付近にて、流入口と流出口とを直結する仮想線（静的には水が最も流れやすい方向）から奥行方向に離間した位置に、気流が水面に向けて噴き上げられる。
【００３５】
例えば奥行方向にて手前幅方向の一方（例えば、左側とする）の角に流入口が位置するように池本体をみたとき、池奥側の水は幅方向他方（例えば右側とする）の側壁部中間に形成された流出口に向けて流れようとするが、上記主散気部からの放射状の気流により、奥側の側壁部（池奥方向第二側壁部）及び右側の側壁部（幅方向第二側壁部）に押しやられ、これら両側壁部に沿う壁面流を形成する。該壁面流により失われる池奥左側の水は、流入口から池奥側に向かう流れの一部を取り込むことで補われ、結果として、流入口から左側の側壁（幅方向第一端側壁部）、奥側の側壁（奥行方向第二端側壁部）及び右側の側壁（幅方向第二端側壁部）の順に沿って流出口に流れ込む迂回巡回流が形成される。
【００３６】
上記の池構造には、幅方向中心線よりも幅方向第一端側壁部寄りにて、奥行方向における流入口と主散気部との間に補助散気部を配置することができる。このような補助散気部からの気流により、流入口から流出口へ直接向かおうとする流れの一部を、巡回流区間をなす幅方向第一端側壁部の側に誘導することができ、迂回巡回流の形成をより顕著なものとすることができる。流出口が流入口の幅方向真正面に位置していると、水は池の内側をほとんど通らずに、奥行方向端部の側壁に沿って短絡して流れてしまい、迂回巡回流の形成が困難となる。一方、流入口に対し流出口が対角線方向反対側に位置している場合も、流通抵抗となる主散気部の両側に流れが多少迂回するだけで流出口に直接流れてしまい、巡回流の顕著な形成は見込めない。したがって、流出口は、奥行方向において、奥行方向中心線からの距離が、流入口からの距離及び奥行方向第二端側壁部からの距離のいずれよりも小さくなるように（つまり、幅方向第二側壁部の中央付近に対応する領域に）形成位置を定めておくことが、迂回巡回流を顕著に形成する観点において望ましい。
【００３７】
池本体は、池上面開口に沿って配置される懸架枠と接地面上にて懸架枠を下方から支持する支持柱体とを備えた支持枠体と、可撓姓樹脂シートにて底部と側壁とを一体的に形成するとともに、側壁をなす樹脂シート部分の上縁が懸架枠に結合され、内部に注水された状態にて支持枠体に懸架状態で支持される簡易貯水部とを備えたものとして構成できる。この場合、流出口は簡易貯水部の側壁をなす樹脂シートを貫通する形で開口形成することができる。可撓姓樹脂シートからなる簡易貯水部とその支持枠体で池本体を形成することで、陸上養殖用池構造の基本構成は大幅に軽量化かつ単純化できる。このような簡易貯水部は、樹脂シート製の側壁には流出口を貫通形成することが容易であり、池本体内の水を水面と平行な流れ成分を主体に流出口から排出でき、単に構成が簡易であるばかりでなく、本発明特有の巡回流の形成にも有利に貢献する。特に、循環管路の流出口の形成側末端を簡易貯水部の側壁の上部に結合し、該側壁を貫通する形で流出口を開口させるとともに、簡易貯水部内に貯留される水の上層部分を、該流出口を経て循環管路内に流入させるようにしておくと、湧き上がった後放射状の水面流を作る主散気部からの気流と、上層部の水を流出口から側方に導く流れとを、迂回巡回流の形成のためにより連携させやすくなる。
【００３８】
また、循環管路は、流入口の形成側末端が簡易貯水部の上方に配置されるとともに流入口を簡易貯水部内の水面に向けて下向きに開口するように形成しておくとさらによい。簡易貯水部に対し液面上方から水を流下させることにより、簡易貯水部の側壁部に流入口を孔設するための加工が不要となるばかりでなく、落下した水流を液面に沿って緩やかに広げることができる。その結果、形成される迂回巡回流の速度との整合も取りやすく、流入水特有の激流によりエビが受けるストレスを緩和することができる。
【００３９】
この場合、循環管路は、流出口から簡易貯水部の接地面よりも下方に位置する揚水ポイントまで単調に下る形で配設でき、揚水ポイントに設けられた循環ポンプにより簡易貯水部内の水面よりも上方に循環水を汲み上げつつ流入口に導くよう構成できる。流出口から接地面よりも下方の揚水ポイントまで下り形態の循環管路区間を設けることで、池本体から流出する水の位置エネルギーをより大きく確保することができ、迂回巡回流のより顕著な形成に貢献する。また、この下り形態の循環管路区間を利用してここに濾過槽を設けると、濾過槽の圧損が水の位置エネルギーにより補われ、濾過槽の通水速度が高められて濾過効率を向上することができる。この場合、循環管路の揚水ポイントよりも上流側に位置する部分の一部を、池本体の側方にて該池本体の接地面から掘り下げ形成された槽収容凹部内に配設し、該槽収容凹部内に循環水を濾過する濾過槽を設けておくと大型の濾過槽の設置も容易となる。
【００４０】
次に、簡易貯水部は、水を満たした状態において、側壁の下縁から底部の外周縁に連なる移行部分の垂直断面形状を、外向きに凸となるアール面状に形成することができる。簡易貯水部の下部にこのようなアール面状の部分を形成しておくことで、池底部付近によどみが生じにくくなり、迂回巡回流の水深方向への広がりも確保しやすくなる。また、エビ（特に稚エビ）はこうしたアール面形状の区域に好んで集まって遊泳する習性があり、水中での活動を活発化させ、脱皮促進も図ることができる。さらに、アール面形状の区域は、エビを貯水部から収穫する際も網をふるいやすく、特に遊泳方向後ろ側（エビは流れに逆らって泳ぐので、迂回巡回流を前方から受け止める向きとなる）から網ですくうと、一度に大量のエビを網内に導くことができ、収穫時の作業効率を高めることができる。
【発明の効果】
【００４１】
本発明の作用及び効果の詳細については、「課題を解決するための手段」の欄にすでに記載したので、ここでは繰り返さない。
【図面の簡単な説明】
【００４２】
【図１】陸上養殖池の一例を示す平面図。
【図２】同じく側面図。
【図３】同じく正面図。
【図４】池本体の要部を拡大して示す側面図。
【図５】懸架枠と簡易貯水部との結合構造の一例を示す断面図。
【図６】底部支持体による簡易貯水部と支持柱体との結合構造を示す断面図。
【図７】簡易貯水部の底部に形成されるアール面状部分を拡大して示す断面図。
【図８】循環配管の簡易貯水部側壁への取り付け構造の一例を示す断面図。
【図９】加熱機構の詳細を示す模式図。
【図１０】フィルタリングタンクの内部構成例を示す断面模式図。
【図１１】迂回巡回流が形成される様子を示す説明図。
【図１２】稚エビが水流に逆らって遊泳する様子を示す説明図。
【図１３】陸上養殖したエビを消毒養生する工程説明図。
【図１４】エビの活性に応じた消毒養生中の影響を説明する図。
【図１５】活きエビを踊り食い可能な状態で提供する料理形態の一例を示す図。
【図１６】エビの活性が低い場合の料理提供後のエビの状態を示す説明図。
【図１７】エビの踊り食いに好適な箸の形態の一例を示す図。
【図１８】図１７の箸の作用説明図。
【図１９】鍋料理に活きエビをくぐらせる料理の一例を示す図。
【図２０】活きエビを釣り上げて食する料理の提供形態の例を示す図。
【図２１】図２０の料理形態の作用説明図。
【発明を実施するための形態】
【００４３】
以下、本発明を実施するための形態について、添付の図面を用いて詳細に説明する。
図１〜３は本発明のエビ料理の提供方法、具体的には踊り食いを前提とした料理に使用するエビを養殖するのに好適な陸上養殖池の一例を示す平面図、側面図及び正面図である。陸上養殖池１は、池本体２、主散気部３、循環管路６及び循環ポンプ７を要部とする循環閉鎖型の池として構成されている。池本体２は、方形（本実施形態では長方形：正方形状でもよい）の底部２ｂを有するとともにその周縁に沿って側壁２ｓが形成されている。図１１に示すように、主散気部３は、池本体２内にて水没させる形で底部２ｂ上に配置され、外部から供給される酸素含有気体を水面に向けて噴き上げる。また、図１に示すように、循環管路６は、一端に池本体２の水を流出させる流出口４が形成され、他端に池本体２に水を流入させる流入口５が形成されており、その途上に循環ポンプ７が設けられている。
【００４４】
図１において、池本体２の長方形状の平面外形線において、互いに隣接する二辺のうち第一辺（短辺）に沿う向きを幅方向、第二辺（長辺）に沿う向きを奥行方向と定義する。循環管路６の流入口５は、奥行方向第一端側（図面下側）にて幅方向第一端側（図面左側）に寄せて開口形成されている。他方、流出口４は、幅方向第二端側（図面右側）にて、流入口５と奥行方向第二端側壁部ＷＢ２との間に位置するように開口形成されている。
【００４５】
本実施形態においては、流出口４は、奥行方向において、奥行方向中心線ＯＷからの距離ＤＣが、流入口５からの距離ＤＢ１及び奥行方向第二端側壁部ＷＢ２からの距離ＤＢ２のいずれよりも小さくなるように（つまり、幅方向第二側壁部ＷＡ２の中央付近に対応した領域に）配置されている。なお、流出口４は奥行方向にて２か所に分散して形成されており、その空間的な位置は、２つの流出口４の開口中心の空間座標の平均により代表させる。
【００４６】
また、主散気部３は、底部２ｂに対し、奥行方向においては奥行方向第二端側壁部ＷＢ２からの距離ＤＡ２が、流入口５と流出口４とを結ぶ仮想線ＶＤＬからの距離ＤＡ１よりも小さくなり、かつ、幅方向においては幅方向中心線ＯＬからの距離ｄｃが、流入口５からの距離ｄａ１及び流出口４からの距離ｄａ２のいずれよりも小さくなるように配置されている。また、本実施形態においては、幅方向においては幅方向中心線ＯＬよりも幅方向第一端側壁部ＷＡ１寄りとなり、奥行方向においては流入口５と主散気部３との中間となる位置に補助散気部８が配置されている。補助散気部８は２つ配置されており、一方が奥行方向において流出口４と主散気部３との中間となる位置に、他方が同じく流入口４と流出口５との中間となる位置に、それぞれ配置されている。
【００４７】
主散気部３及び補助散気部８は、気孔を多数形成した散気板あるいは連通気孔が多数形成されたセラミック、樹脂ないし金属製の散気モジュール（いわゆるエアストーン）、あるいは旋回流式のマイクロバブルノズルなど周知の構成を有するものであり、気体供給管２０を介してエアポンプ２１により酸素含有気体としての空気が供給されるようになっている。図１１に示すように、散気部３，８より噴出する空気中の酸素は池本体２内の水に溶解し、水中のエビＳＰが消費する酸素を補うとともに、水中にて噴き上げる気流ＡＦにより、巡回流の形成を補助する役割を果たす。なお、酸素含有気体はボンベ等から供給される純酸素であってもよいし、酸素濃縮装置等により酸素富化された空気であってもよい。
【００４８】
エビＳＰは例えばバナメイエビであるが、ウシエビ（通称：ブラックタイガーエビ）、クマエビ及びコウライエビ（通称：タイショウエビ）などであってもよい。また、循環される水は塩分濃度が１．５質量％以上２．０質量％以下の汽水とされている。
【００４９】
次に、池本体２は、池上面開口に沿って配置される懸架枠９と接地面ＧＳ（図２及び図３）上にて懸架枠９を下方から支持する支持柱体１０とを備えた支持枠体１１と、可撓姓樹脂シート（例えばポリ塩化ビニル樹脂、ポリプロピレン樹脂、ポリアミド樹脂等）にて底部２ｂと側壁２ｓとが一体的に形成された簡易貯水部１２とを備える。簡易貯水部１２は、側壁２ｓをなす樹脂シート部分の上縁が懸架枠９に結合され、内部に注水された状態にて支持枠体１１に懸架状態で支持される。本実施形態において、簡易貯水部１２は奥行方向寸法が例えば９．８ｍ、幅方向寸法が４．９ｍ、高さが１．３ｍ程度であり、満水水位１．０〜１．１ｍにて貯水量はおおむね５０ｔである。
【００５０】
懸架枠９は鋼製であり、図４に示すように、池本体２の上部開口の４つのコーナー部に配置される円弧状のコーナージョイント９ｃと、支持柱体１０が結合される各々直管状の複数の支持ジョイント９ｊと、両端がこれらコーナージョイント９ｃないし支持ジョイント９ｊの内側に挿入結合される直管状の複数の本体管９ｍからなる。また、支持柱体１０は、本実施形態では、図６に示すように断面が扁平長方形状をなし、正面形状がＵ字状の一体鋼製フレーム部材とされている。支持ジョイント９ｊの側面下部にはソケット部９ｓが一体形成され、支持柱体１０の上部両端が差し込まれて固定される。
【００５１】
図４に戻り、簡易貯水部１２は、側壁２ｓの上縁部に沿って袋状の懸架枠収容部１２ｆが形成され、その内部に懸架枠９が収容されている。図５に示すように、懸架枠収容部１２ｆは、側壁部本体１２ｍとは別体の長尺の可撓姓樹脂シート材を幅方向中央で折り返し、その幅方向両縁部間に側壁部本体１２ｍの上縁部を挟み込んで積層部分を作り、該積層部分に対し長手方向に沿って結合部１２ｂ（例えば、熱圧着部、シーム溶接部、縫合部ないしそれらの組み合わせ）を形成することで側壁部本体１２ｍに結合されている。また、懸架枠収容部１２ｆの外側にて結合部１２ｂの上方には、収容された懸架枠９に結合される複数の支持柱体１０を下方に延出させるための支持柱体延出孔１２ｐが、図４に示すように、懸架枠収容部１２ｆの長手方向に沿って断続的に形成されている。
【００５２】
簡易貯水部１２は、図７に示すように、側壁２ｓの下縁から底部２ｂの外周縁に連なる移行部分１２ｒの垂直断面形状が、水を満たした状態において外向きに凸となるアール面状に形成されている。図４に示すように、移行部分１２ｒの形状は、底部２ｂの接地部の寸法Ｅ２が側壁２ｓの上部開口の寸法Ｅ１よりも小さくなるように調整されている。図４に示すように、垂直断面形状において側壁２ｓは貯留水圧に基づき、上縁から下縁に向けて下り勾配形状にて外向きに張り出した後、極大点Ｍｘを経て内向きに収縮する形でアール面状の移行部分１２ｒを形成しつつ、接地面の外周縁に連なる膨出形態とされている。これにより、注水後の移行部分１２ｒのアール面の半径をより大きく確保できている。また、簡易貯水部１２の移行部分１２ｒの内面には、可撓性樹脂（例えば、側壁２ｓと同じ材質）よりなる補強シート１２ｔが積層されている。補強シート１２ｔの上下縁部は結合部１２ｇ，１２ｈにより側壁２ｓ及び底部２ｂに対し結合されている。
【００５３】
次に、図４に示すように、支持枠体１１の支持柱体１０は、簡易貯水部１２の側壁２ｓの上側部分に接する形で極大点Ｍｘよりも外側に位置する接地点に向け、外向きに下る傾斜形態で配設されている。そして、支持柱体１０の下端部（Ｕ字の底をなす直線部分）と底部２ｂの接地部分外縁とは、可撓姓樹脂シートからなる底部支持体１３により突っ張り形態にて結合されている。底部支持体１３はＵ字型の支持柱体１０の下端部に結合される帯状部材であり、図６に示すように、第一端側が底部２ｂの接地部分外縁に対し結合部１３ｂにより結合されるとともに、第二端側は支持柱体１０の下端部に三角形状の折返し展張部１３ｃを形成しつつ巻き回されて第一端側に重ね合わされ、接着ないし熱溶着により相互に結合される。
【００５４】
満水状態の簡易貯水部１２は静水圧により側方に膨らみつつ、高さ方向にはつぶれる形で変形しようとする。他方、外向き斜めに配設された支持柱体１０の全長は一定なので、簡易貯水部１２の高さ減少を伴うつぶれ変形は、支持柱体１０の傾斜角を増加させる形で外向きに開かせつつ、その接地点を底部２ｂの接地部分外縁から遠ざけようとする。そこで、支持柱体１０の下端部と底部２ｂの接地部分外縁とを上記のように底部支持体１３により結合しておくと、簡易貯水部１２のつぶれ変形力が底部支持体１３の突っ張り力に変換され、注水された簡易貯水部１２を強固に支持することができる。
【００５５】
図２に示すように、簡易貯水部１２の側壁上部には給餌器４６が設置され、ここからペレット化された飼料が、簡易貯水部１２の上部開口より水面に落下するように供給される。エビは簡易貯水部１２内を遊泳しながらこの飼料を食べて生育する。給餌量は、エビの種類と飼育密度（例えばバナメイエビの場合は水１トン当たり３００匹〜５００匹、ウシエビの場合は水１トン当たり６００匹〜８００匹等）に応じ、残餌の腐敗等による水質低下（飼料投入量が多すぎる場合）、及びエビ同士の共喰い（飼料投入量が少なすぎる場合）がなるべく生じないように適宜調整する。
【００５６】
飼料の組成は本発明のポイントともいえる部分であり、与える飼料の総重量に占めるカルシウム含有率を２質量％以下（望ましくは１質量％以下、さらに望ましくは０．５質量％以下）に制限したものを使用する。具体的には、魚、イカ、タコ、貝類及び甲殻類より選ばれる１種以上の魚介肉とでんぷん質（例えば小麦粉）との混合物であり、含有物としてはありふれたものであるが、エビの殻の成長促進を図るために通常１０質量％程度は添加されるカルシウム源（例えば牡蠣殻粉末など）の添加量を、カルシウム含有率が上記の範囲のものとなるように大幅に削減したものが使用される。
【００５７】
次に、図２に示すように、循環管路６は、流入口５の形成側末端となる戻り管部６ｄが簡易貯水部１２の上方に配置され、流入口５を簡易貯水部１２内の水面に向けて下向きに開口している。他方、循環管路６の流出口４の形成側末端となる流出管部６ａが簡易貯水部１２の側壁２ｓの上部に結合され、該側壁２ｓを貫通する形で流出口４を開口させている。本実施形態では、流出口４は奥行方向に間隔をおいて２か所形成され、各々流出管部６ａが接続されている。
【００５８】
図８は、流出口４への流出管部６ａの接続形態の一例を示すもので、側壁２ｓに形成された貫通孔に樹脂製のねじ継手４ａを内側からはめ込み、そのフランジ部を周方向に溶接結合することにより流出口４が形成される。他方、流出管部６ａの末端にフランジ継手６ｊを形成し、これをねじ継手４ａにシール材４ｂを介して重ね合わせ、外側に継手ナット型のキャップ６ｅを被せてねじ継手４ａと螺合締結することにより流出管部６ａが液密に接続される。
【００５９】
図１１に示すように、簡易貯水部１２内に貯留される水の上層部分は、該流出口４を経て循環管路６（流出管部６ａ）内に流入する。図２及び図３に示すように、循環管路６は、流出口４から簡易貯水部１２の接地面ＧＳよりも下方に位置する揚水ポイントＰＰまで単調に下る形で配設され、揚水ポイントＰＰに設けられた循環ポンプ７により簡易貯水部１２内の水面よりも上方に循環水を汲み上げつつ流入口５に導かれる。
【００６０】
また、循環管路６の揚水ポイントＰＰよりも上流側に位置する部分の一部（符号６ｂ、６ｃ）は、池本体２の側方（本実施形態では、図１に示すごとく奥行方向第一端側壁部ＷＢ１に隣接する位置）にて、接地面ＧＳから掘り下げ形成された槽収容凹部２４内に配設されている。そして、該部分６ａの途上にて槽収容凹部２４内には循環水を濾過する濾過槽２３が設けられている。
【００６１】
本実施形態では、濾過槽２３は３連の樹脂製ローリータンク２３ａ，２３ｂ，２３ｃにて構成されている。このうち、下流側の２つのタンク２３ｂ，２３ｃが槽収容凹部２４内に配置され（図３に示すごとく、タンク設置面は階段状に形成されている）、最も上流側のタンク２３ａは池本体２の接地面ＧＳ上に配置されている。これら３つのタンク２３ａ，２３ｂ，２３ｃを相互につなぐ接続管路６ｂは、上流側がタンク下部に接続され、下流側はタンク上部に接続されている。また、最も下流側のタンク２３ｃの下部は、図２に示すように、揚水ポイントＰＰを形成する揚水槽２５と接続管路６ｃにより連通接続されている。循環ポンプ７は該揚水槽２５内に配置される水中ポンプとして構成されており、ここに戻り管部６ｄが接続される。なお、池の水交換や収穫時の便宜を図るため、池本体２内の水を排出する排水管３１を池本体２の下部に設け、排水ポンプ３２により排水する機構を設けることも可能である。
【００６２】
図３に示す３つあるタンク２３ａ，２３ｂ，２３ｃのうち、最も上流側のタンク２３ａはフィルタリングタンクであり、図１０にその内部構造の一例を示している。タンク２３ａの底部には、二価鉄を含有する鉱物モジュール（例えば玄武岩、安山岩、軽石、溶岩等）が敷き詰められており（例えば、池容量が５０トン、循環流量が１００Ｌ／分のとき、３〜４ｃｍ径の鉱物片を５０ｋｇ〜１５０ｋｇ程度使用する）、その上に不織布やスポンジからなるフィルタ４２が積層されている。循環管路６から流入する水は、フィルタ４２の積層体の上部に置かれた水流分散材４１に当たって拡散しつつフィルタ４２を流通する。ここで、水に含まれるエビの糞や残餌、死骸などが濾過されるとともに、鉱物モジュール４３の層を通過する際に二価鉄成分が水中に徐放的に溶出する。
【００６３】
また、２番目のタンク２３ｂは好気性菌繁殖槽であり、腐植質（フィルタリングされたエビの糞や残餌、死骸を好気性菌で腐植化（コンポスト化）したもの、あるいは市販の腐植質ペレット）が、図示しないフィルタにより固形物の流出が妨げられた状態で充てんされている。このタンクの内部では、二価鉄成分を溶け込ませた水の流入により腐植形成微生物が活発に増殖し、そのまま除菌されることなく下流側のタンク２３ｃを経て簡易貯水部１２内に戻される。その結果、簡易貯水部１２内の水には腐植形成微生物（及び腐植質）とエビとが共存する状態となる。腐植形成微生物を含む水は、二価鉄成分を含有することで微生物増殖ひいてはエビの糞や死骸の腐植化が促進され、また、浮遊する腐植質を核とした腐植形成微生物のフロック形成とその安定化にも寄与するので、閉鎖された陸上養殖池の水を長期にわたって清浄に保つことができる。腐植形成微生物は、土壌中に存在する一般的なもので、芽胞菌類（バチルス属細菌など）、放線菌類、真菌類などからなる。他方、３番目のタンク２３ｃは有用嫌気性菌（硝化菌や脱窒菌）の繁殖槽とされており、上記好気性菌繁殖槽と共同して水質の浄化及び酸素富化に寄与している。
【００６４】
図１及び図２に示すように、陸上養殖池１の池本体２は、樹脂シート製の簡易貯水部１２を土面からなる接地面ＧＰ上に配置している。本実施形態では、寒冷地向けの仕様として、接地面ＧＰ（土面）と底部２ｂとの間に押出発泡ポリスチレン断熱材（商標名：スタイロフォーム）等からなる断熱材層が配置されている。
【００６５】
また、図１に示すように、簡易貯水部１２の底部２ｂ上には、貯留水の加熱機構１４が配設されている。図９に示すように、加熱機構１４は、上記底部上に配設される液状加熱媒体１４ｆの流通管路１４ａと、簡易貯水部１２の外に設けられ液状加熱媒体１４ｆを昇温する媒体昇温部１４ｈと、該媒体昇温部１４ｈと流通管路１４ａとの間で液状加熱媒体１４ｆを循環送液させる媒体循環ポンプ１４ｐとを備えている。貯留水は流通管路壁を介した液状加熱媒体１４ｆからの伝熱により加熱される。
【００６６】
流通管路１４ａは、樹脂ホースなどの可撓性材料で構成されており、底部２ｂの全体に加熱域が形成されるよう、つづら折れ状に配設されている。液状加熱媒体１４ｆは例えばエチレングリコールを主成分とするもの（例えば、JIS K 2234等に規定されたエンジン用不凍液）が使用される。加熱機構１４は液状加熱媒体１４ｆのリザーバタンク１４ｈを備え、電源１４ｓにより抵抗発熱する電熱線ヒータ１４ｎにより液状加熱媒体１４ｆを加熱する。
【００６７】
エチレングリコールは揮発性が低く、加熱媒体としての取り扱いが容易である。また、比熱も水に近接する大きな値を有し、かつ比重は水よりも若干大きいので、軽い樹脂ホースからなる流通管路１４ａを水底に沈め、底部付近の水に対する加熱効率を高めることができる。さらに、凍結温度が低く、底部水が極度に冷えている場合でも加熱循環を容易に継続することができる。なお、流通管路１４ａは、少なくとも水中に没する区間部分を継ぎ目のない一体の樹脂ホースにて形成し、リザーバタンク１４ｈとの接続部を池本体２の外に配置することが望ましい。
【００６８】
陸上養殖池１の池本体２は、図１に示すように、ごく単純な方形平面形状に形成されており、貯留水は池外部の循環管路６を経て循環ポンプ７により循環流動される。その循環のための水の流入口５は、奥行方向第一端側（図面下側）にて幅方向第一端側（図面左側）に寄せて開口形成されており、流出口４が幅方向第二端側（図面右側）にて、流入口５と奥行方向第二端側壁部ＷＢ２との間に位置するように開口形成されている。つまり、図面左下側の角部付近にて流入口５から池本体２内に水が入り、図面右側の側壁部（幅方向第二側壁部）ＷＡ２の中間付近に開口する流出口４から水が流れ出る。
【００６９】
これにより、図１１に示すように、流入口５から池本体２に入った水は、反対の側壁部ＷＡ２の中間付近に向け、前述の仮想線ＶＤＬ（図１）に沿う斜めの直接流ＤＦを形成しようとする。他方、池の底部２ｂには主散気部３が配置され、その位置は、図１に示すように、奥行方向第二端側壁部ＷＢ２からの距離ＤＡ２が上記仮想線ＶＤＬからの距離ＤＡ１よりも小さくなり、かつ、幅方向中心線ＯＬからの距離ｄｃが、流入口５及び流出口４からの各距離ｄａ１，ｄｂ２のいずれよりも小さくなるように設定されている。これにより、図１１に示すごとく、池本体２の幅方向の中間付近にて、静的には水が最も流れやすくなる直接流ＤＦの経路から奥行方向に離間した位置に、気流ＡＦが水面に向けて噴き上げられる。
【００７０】
池本体２の池奥側（図面上側）の水は、図面右側の側壁部ＷＡ２の中間に形成された流出口４に向けて流れ込もうとするが、主散気部３からの放射状の気流ＡＦにより該水流は、奥側の側壁部ＷＢ２（池奥方向第二側壁部）及び右側の側壁部ＷＡ２（幅方向第二側壁部）に押しやられ、これら両側壁部ＷＢ２，ＷＡ２に沿う壁面流ＷＦ２，ＷＦ１を形成する。この壁面流ＷＦ２，ＷＦ１により失われる池奥左側の水は、流体力学の連続の式に基づき、直接流ＤＦの一部を幅方向左側壁部ＷＡ１に沿った壁面流ＷＦ３として取り込むことにより補われる。本実施形態では、さらに補助散気部８からの気流ＡＦにより、直接流ＤＦの一部が幅方向第一端側壁部ＷＡ１の側に積極的に押しやられることで、壁面流ＷＦ３の形成が促進されている（ただし、池本体２の寸法が小さい場合は、補助散気部８を省略しても迂回巡回流を十分に形成できる場合がある）。
【００７１】
その結果、流入口５から左側の側壁（幅方向第一端側壁部ＷＡ１）に沿う壁面流ＷＦ３、奥側の側壁（奥行方向第二端側壁部ＷＢ２）に沿う壁面流ＷＦ２及び右側の側壁（幅方向第二端側壁部ＷＡ２）に沿う壁面流ＷＦ１が、流出口４に流れ込む迂回巡回流を形成することとなる。すなわち、本発明によると、主散気部３が形成する壁面流ＷＦ２，ＷＦ１に、流入口５からの流れの一部を壁面流ＷＦ３として取り込みつつ合流させ、流入口５から幅方向第一端側壁部ＷＡ１、奥行方向第二端側壁部ＷＢ２及び幅方向第二端側壁部ＷＡ２に各々沿って流出口４に向かう迂回巡回流が形成されるのである。
【００７２】
上記の位置関係で水循環のための流入口５及び流出口４を池本体２に形成し、池底部２ｂに上記の位置関係で主散気部３を配置することで、流入口５より入った水が主散気部３からの気流ＡＦにより池本体２の側壁ＷＡ１，ＷＢ２及びＷＡ２に沿って迂回しつつ流出口４に向かう流れが形成され、ひいては池本体２の側壁２ｓの内周に沿った巡回流を定常的に形成できる。これにより、極めて簡単な機構によりながら、酸欠等の水流死角が池本体２内に形成されにくくなり、個体数密度の高い陸上養殖が可能となる。
【００７３】
また、図１に示すように、循環管路６の流出管部６ａを簡易貯水部１２の側壁２ｓの上部に結合し、図１１に示すように、貯留される水の上層部分を流出口４から流出管部６ａ内に流入させるようにしておくことで、水底から湧き上がりつつ放射状の水面流を作る主散気部３からの気流ＡＦと、上層部の水を流出口４から側方に導く流れＳＦとの、迂回巡回流の形成のための連携が促進されている。さらに、戻り管部６ｄ先端の流入口５が水面に向けて下向きに開口しており、液面上方から水が流下するようになっているので、落下した水流を液面に沿って緩やかに広げることができる。その結果、形成される迂回巡回流の速度との整合も取りやすく、流入水特有の激流によりエビが受けるストレスを緩和することができる。
【００７４】
図７に示すように、簡易貯水部１２の下部にアール面状の移行部分１２ｒが水圧を利用して膨出形成されていることで、底部２ｂ付近のよどみが生じにくくなり、迂回巡回流の水深方向への広がりも確保しやすくなっている。また、エビＳＰ（特に稚エビ）はこうしたアール面形状の区域を好んで集まって遊泳する習性があり、水中での活動が活発化し、脱皮促進を図ることができる。さらに、アール面形状の区域は、エビＳＰを収穫する際も網をふるいやすく、特に遊泳方向後ろ側（エビは流れに逆らって泳ぐので、迂回巡回流を前方から受け止める向きとなる）から網ですくうと、一度に大量のエビＳＰを網内に導くことができ、収穫時の作業効率を高めることができる。
【００７５】
上記のような陸上養殖池１に、例えば体長３ｍｍ程度までの稚エビを、種別に応じた前述の飼育密度で投入し、水温を調整した後（例えば、バナメイエビであれば２３℃〜２８℃）、水流の循環を開始するとともに、散気部３，８からのエアレーションを開始する。すると、上記の巡回流が池本体２の内部に発生する。
【００７６】
形成される水流は緩やかであり、図１２に示すごとく、稚エビＳＰの水流に逆らった遊泳が容易となる。特に図７のアール面状に膨出した移行部分１２ｒは、水流に逆らった遊泳をエビが特に活発に行う領域となる。これにより、稚エビＳＰはストレスが溜まりにくくなり、動きを活発化させることができるので、死滅率の低い健全な養殖状態を安定に維持できるようになる。その結果、稚エビの脱皮ＳＰが良好に促される。
【００７７】
他方、稚エビＳＰに与えられる飼料は前述の通りカルシウム成分が大幅に制限されたものであり、遊泳活性化により脱皮を促進すれば、カルシウムの摂取が抑制された状態で稚エビＳＰの体長が急速に増加するため、エビの殻は柔らかく薄い踊り食いに適したものとなる。また、巡回流に逆らって遊泳させつつ生育させたエビは、池中でよく運動しているため収穫してからも活動力が高く、料理として出す際の器の中や、あるいは後述する消毒養生処理中も元気に泳ぎ続ける状態を長時間維持することができる。
【００７８】
そして、養殖に使用する水は、二価鉄成分を含有しているので腐植形成微生物の増殖ひいてはエビの排泄物や死骸の腐植化が促進され、また、浮遊する腐植質を核とした腐植形成微生物のフロック形成も安定的に進む。その結果、閉鎖された陸上養殖池の水を長期にわたって清浄に保つことができる。また、池内で生育するエビの脱皮及び成長促進と活性度、具体的には踊り食い形態で提供する際の活きの良さは、さらに飛躍的に向上する。また、塩分濃度が２質量％以下の汽水が用いられていることで、腐植形成微生物の活性及び繁殖がより顕著であり、池内で生育するエビの脱皮及び成長促進と活性度向上の効果がさらに高められる。また、塩分濃度の低い水に移し替えられたときのエビの衰弱も進みにくくなる。
【００７９】
図１３に示すごとく、このようにして３ｃｍ以上１２ｃｍ以下の目標体長までに成長したエビＳＰは、タモＴＭ等で養殖池１より収穫し、消毒養生用の水槽５１に移す。この水槽５１には、塩素消毒された通常の水道水５２（残留塩素濃度０．１ｍｇ／Ｌ以上１．０ｍｇ／Ｌ以下）が張られている。塩水中で繁殖しやすい腸炎ビブリオ菌にエビＳＰがもし汚染されていても、水道水５２内にて例えば３０分以上、好ましくは１時間以上２時間以下の範囲内で養生すると、エビＳＰに付着していた腸炎ビブリオ菌はほぼ完全に死滅させることができる。また、閉鎖循環系で稚エビ段階から適正な飼料を用いて生育させたエビＳＰは寄生虫汚染の懸念がない。以上から、消毒養生処理を経たエビＳＰは安心して踊り食いに供することができる。なお、塩素消毒された水道水ではなく、井戸水などの淡水を用いても腸炎ビブリオ菌を死滅させることができるが、この場合は、養生時間を塩素消毒された水道水の場合よりも若干長めに設定することが望ましい。
【００８０】
しかしながら、水道水による消毒養生は、汽水中で生育したエビＳＰには負荷の大きい処理であり、通常の手法で養殖されたエビでは、この処理に耐えきるだけの体力がなく、図１４の右下に示すごとく、相当量のエビＳＰは弱ってしまい、踊り食いに供する前にかなりの数が死んでしまい、歩留まりが極度に悪化する懸念がある。しかし、エビの脱皮及び成長促進と活性度向上にかかる上記説明したような対策（巡回流中での遊泳、腐植形成微生物（及び二価鉄）との共存飼育）を講じた手法で飼育した活きエビＳＰは極めて健康であり、水道水による消毒養生を経ても十分活発に泳ぎ続ける体力を温存することができる。
【００８１】
図１５に示すように、このような活きエビＳＰを、透明ガラス等からなる本体６０ａと蓋６０ｂとを有する主食器６０に、淡水（水道水）６１か塩分濃度が１質量％以下の汽水とともに生きた状態で盛り付け、踊り食い可能な状態で提供する。エビＳＰが弱っていると、この時も図１６に示すように、食べる前に死んで動かなくなってしまうエビが少なからず発生するが、上記のように体力を温存した活きエビであれば、食べる直前まで生きて元気に泳ぐ状態を維持することができる。この場合、あまりにエビが元気なため、本体６０ａから跳ねて外に飛び出してしまうこともあり得るが、蓋６０ｂを被せておくことでエビＳＰの飛び出しを防止することができる。また、主食器６０は本体６０ａ及び蓋６０ｂとも透明なので、料理の被提供者は蓋を被せた状態でもエビの泳ぐ様を観察することができる。
【００８２】
また、図１５においては、エビのつけ汁（みりん、しょうゆなどとの合わせ出し）６６を本体６５ａと蓋６５ｂからなる器６５に入れ、エビＳＰと合わせて供されている。料理の被提供者は主食器６０内の泳ぐエビＳＰを箸などでつまみ、つけ汁６６につけて、生きたまま踊り食いとして味わうことができる。また、つけ汁６６に浸した後蓋６５ｂを被せ、だし汁をエビＳＰに吸わせて食するとさらに奥深い味わいを楽しむことができる（蓋６５ｂを被せることで、エビＳＰが暴れてつけ汁６６が飛び跳ねることも防止できている）。なお、エビを生きたまま口に入れることに抵抗のある人は、エビＳＰが動かなくなるまでつけ汁６６内に浸してから味わうこともできる。
【００８３】
図１７は、エビの踊り食いを食する際に用いるのに好適な箸の一例を示すものである。この箸７０は後端部７０ａが角状断面、残余の本体部７０ｂが丸状断面を有した竹製又は木製のものであり、滑りにくくするために素材表面が露出したものを用いている（この実施形態では、竹製の割り箸として構成している）。そして、図１８に示すように、生きたエビＳＰをつまむときは、箸７０をひっくり返して持ち、角状断面の後端部７０ａでエビＳＰをつまむようにすると、エビＳＰが動いても箸７０から脱落しにくくなり、そのままつけ汁に浸した後そのまま（あるいは、エビの動きが鈍れば箸７０を再度ひっくり返して本体部７０ｂの先端でつまんで）口に運ぶようにするとよい。
【００８４】
クルマエビ科のエビの場合、このように踊り食いに適しているのは、食したときの満足感が損なわれないのが体長３ｃｍ以上（好ましくは３．５ｃｍ以上）のものであり、殻が柔らかく食感に優れているのは、７ｃｍ程度までのもの（好ましくは６ｃｍ程度までのもの）である。しかし、図１９に示すように、熱した煮汁６７ｓを張った鍋６７にて、野菜などの他の具材６７ｇとともに鍋料理に入れるようにすると、さらに大きなエビＳＰであってもおいしく食することができる。このとき、エビＳＰは鍋６７に入れる直前までは活きた状態のものであり、箸７０でつまんで熱した煮汁６７ｓ中にしゃぶしゃぶ感覚でさっと（５〜１０秒程度）くぐらせ、半生状態で食するようにするとよい。これにより、エビが大きい分甘さと弾力が一層引き立つばかりでなく、生きた状態ではやや固かった殻が熱を通すことで軟化してかみ砕きやすくなり、香りのよい殻や頭とともに丸ごと食することができるので、エビの味を堪能することができる。
【００８５】
なお、踊り食いに関しては、工夫によりさらに種々の提供形態が可能である。例えば図２０に示すように、活きエビＳＰを水槽状の容器８１に泳がせた状態で客ＣＬに出し、客に釣り糸８０ｓの付いた小型の釣り竿８０を箸７０及びつけ汁６６とともに供する。活きエビＳＰが元気であれば、客ＣＬが垂れる釣り糸８０ｓ（の、図示しない釣り針）にエビＳＰが図２１に示すように食いつくので、これを釣り上げることができる。客ＣＬは、釣り針から外したエビＳＰをつけ汁６６につけて生きたまま食する。これは、釣りと料理の究極のコラボレーション形態と見ることもできる。
【００８６】
なお、揚げ物や煮物などの加熱調理を前提にする場合は、加熱により殻が軟化することから、より大きい個体まで成長させても殻（あるいは頭）ごと食べさせることが十分可能であり、エビを体長２０ｃｍ程度まで成長させてから収穫することも可能である。
【実施例】
【００８７】
以下、本発明の効果を確認するために、種々の条件にてエビの試験養殖を行なうとともに、成長途上のエビを種々の体長にて生きたまま収穫し、踊り食いに供したときの食味等を調べた。以下、その詳細について説明する。使用した陸上養殖池は、図１〜図３に示す形態のものであり、塩分濃度が１．８〜２．５％の汽水域となる種々の条件となるように調整した人工海水を５０ｔ注入した（溶質成分の相対組成は、塩化ナトリウム７７．９質量％、塩化マグネシウム９．４質量％、硫酸マグネシウム６．２質量％、硫酸カルシウム４．１質量％、塩化カリウム２．０質量％、残微量成分）。池中の水は、循環ポンプ７により１００Ｌ／分の流量にて循環させるとともに、主散気部３及び補助散気部８の作動により２ｍ／分の速度で迂回巡回を発生させた。また、水温は加熱機構１４により外気温と無関係に２８±１℃に維持した。
【００８８】
また、フィルタリング用のタンク２３ａ（容積５００Ｌ）の底には、二価鉄を含有する鉱物モジュールとして、直径１５〜３０ｍｍに砕いた溶岩片（鉄（ＩＩ）イオン含有率：約１０質量％）を約１００ｋｇ敷き詰め、その上にはスポンジ及び不織布からなるフィルタを厚さ約４０ｃｍとなるように充てんした。また、好気性菌繁殖槽となるタンク２３ｂには、タンク２３ａと同様のフィルタを厚さ１０ｃｍとなるように敷き詰めた後、市販の腐植質ペレット（ＥＺ９０１：エンザイム株式会社製、芽胞菌類、放線菌類、真菌類などの一般土壌好気性菌を含有）を３０ｋｇ投入し、さらにその上に同様のフィルタを厚さ２０ｃｍとなるように敷き詰め、好気性バイオフィルタ槽として構築した。また、タンク２３ｃは、硝化菌及び脱窒菌を含む有用嫌気性菌の繁殖槽とした。
【００８９】
上記の陸上養殖池に３００匹／トンの密度となるようにバナメイエビの稚エビ（体長約５ｍｍ）を投入した。池内の水は、これら３つのタンクを通過する際にタンク内の微生物が取り込まれつつ循環継続される。池内の稚エビには、骨を取り除いた魚肉（フィッシュミール）に対し小麦粉２０質量％、及び水１０質量％を配合したものをベースとし、これに牡蠣殻粉末（カルシウム含有率：４０質量％）を０〜１０質量％の範囲にて、表１の種々の値に配合した飼料を、エビの成長段階に合わせた適量（エビの体長に合わせて変化する：食べ残しがなるべく生じず、かつ、共喰いが発生しない程度）を与えつつ養殖を継続した。なお、表１には、飼料中のカルシウム成分の含有率も合わせて示している。
【００９０】
各養殖条件にて養殖中のエビは、平均体長が３ｃｍ、４ｃｍ、５ｃｍ、７ｃｍ及び１０ｃｍとなるまでの到達日数をサンプリングによって求めた。また、各体長のエビは１００匹ずつ１００Ｌの養殖水とともにサンプリングを行ない、ここに菌濃度１０8ｃｆｕ／ｍＬの腸炎ビブリオ菌液１０ｃｃを加えて水温を２８℃に維持しつつ２４時間放置して菌汚染処理を行った。この菌汚染処理後のエビを取り出し、残留塩素濃度０．５ｍｇ／Ｌの水道水（水温：２０℃）を４０Ｌ注入した消毒養生用の水槽５１に入れ、３０分後及び６０分後のエビの生存率を確認した。また、死滅率が５０％に到達する養生時間を限界養生時間として特定するとともに、その段階で取り出したエビ２５ｇを検体としてすりつぶし、食品衛生検査指針「生食用鮮魚介類の成分規格腸炎ビブリオ検査の方法」に従って菌数を確認するとともに、菌汚染が認められなかったもの（菌数１０／ｇ未満）を陰性（−）、１×１０2／ｇ未満にて菌汚染の痕跡が見られたものを擬陽性（±）、１×１０2／ｇ以上にて菌汚染が見られたものを陽性（＋）として評価した。
【００９１】
一方、菌汚染処理しないエビを５０匹ずつ同様にサンプリングし、残留塩素濃度０．５ｍｇ／Ｌの水道水（水温：２０℃）を４０Ｌ注入した消毒養生用の水槽５１に入れ、６０分消毒養生処理した後、次の２種類の調理方法により１０人の試食者に供して、味および食感を評価させた。
（１）踊り食い（図１５に示す形態）：水道水を張った器にエビ５匹を泳がせたものに、昆布・カツオの合わせ出し、みりん及び薄口醤油で味付けしたつけ汁を副えて供し、エビを生きたままつけ汁に浸した後、そのまま頭から食する。殻の固さが気にならず美味と感じた人が９人以上であった場合を「◎」、同じく６人以上８人以上であった場合を「〇」、３人以上５人以下であった場合を「△」、２人以下であった場合を「×」として判定した。
（２）活け鍋（図１９に示す形態）：水道水を張った器にエビ５匹を泳がせたものを、沸騰した昆布だしを張った鍋及びポン酢とともに供し、生きたエビを箸でつまんで鍋に入れ、５秒後に引き上げてポン酢をつけて頭から食する。評価については（１）と同様である。以上の結果を表１に示す。
【００９２】
【表１】
2019092440.tif 000003
【００９３】
飼料中のカルシウム含有率を２質量％以下にとどめて飼育したエビ（番号１〜４）は、体長が４ｃｍ程度までは火を通さない踊り食いでも殻の固さが気になりにくく、良好な食感が維持できているのに対し、この値を超えるカルシウム含有率の飼料で飼育したエビ（番号５：比較例）は、体長３ｃｍ程度の矮小な段階でも殻がかなり固くなり、踊り食いには適さなくなっていることがわかる（火を通す活け鍋の場合でも、多くの人が殻の固さが気になると感じている）。また、エビの殻の固さ低下に伴う食感の向上は、飼料中のカルシウム含有率が下がるほど顕著であり、例えばカルシウム源である牡蠣殻粉末を全く配合しない番号１のエビは、体長７ｃｍまで成長しても比較的良好な食感を維持していることがわかる。活け鍋であれば１０ｃｍ程度まで成長したものでも頭から食することができ、エビの大きさも相まって非常に食べ応えのある食感を楽しむことができた。
【００９４】
また、いずれも汽水域にて腐植形成微生物と共存させる条件での飼育であり、溶岩片からの二価鉄成分の溶出により微生物活動の更なる活性化が図られている結果、養殖されるエビの活度が飛躍的に向上しており、水道水中での消毒養生処理に関しては、３０分後程度の養生であれば全数が生存し、６０分後でも８０％が生存することができている。その結果、腸炎ビブリオ菌をほぼ完全に不活性化できる水道水消毒養生処理を経てもなお、水道水中でエビが元気に泳ぎ回る状態で踊り食いに供することが可能となっている。また、塩素を含有した水道水中での限界生存時間は、エビのサイズが大きくなるほど長くなっていることもわかる。
【００９５】
一方、番号６は、タンク２３ａに二価鉄鉱物モジュールを投入しない点を除いて、番号１と同じ条件で養殖を行った場合の結果を示すものであり、二価鉄の溶出が不足する分だけ腐植形成微生物の活動が鈍り、エビの成長に関する生理活性も影響を受ける結果、番号１よりはエビの成長が鈍っていることがわかる（同じ体調に到達するのに番号６のほうが番号１よりもより多くの日数がかかっている）。また、エビの活度も番号１ほどではなく、塩素含有水道水中での限界生存時間が短くなる結果、体長の小さい段階（３ｃｍ程度まで）では、生きた状態で供することが可能な消毒時間が短時間側にシフトし、消毒不足の懸念が生じることがわかる。ただし、カルシウム含有率を押さえて殻を軟化させる効果は同様に確保できており、飼育日数はかかってもエビを成長させれば（例えば体長５ｃｍ以上）限界生存時間が延びる結果、消毒養生時間を十分に確保しても生きた状態で供することが可能となり、踊り食いでの提供が可能であることがわかる。
【００９６】
また、番号７は、タンク２３ｂへの腐植形成ペレットの投入もさらに省略した場合であり、番号６よりもエビの成長が鈍るほか、エビの活度はさらに低下して、塩素含有水道水中での限界生存時間がより短くなっている。しかし、ここでもカルシウム含有率を押さえて殻を軟化させる効果は同様に確保できており、さらに飼育日数をかけてエビを成長させれば（例えば体長７ｃｍ以上）、十分消毒時間をとっても生きた状態で供することが可能となり、踊り食いでの提供が十分可能となる点については、番号６と同じである。
【００９７】
また、番号８は、飼育水中の塩分濃度を２．５質量％に増加させた点以外は番号１と同様の条件となっている。ここでも、番号６及び番号７ほどではないが、エビの成長の鈍化と活度低下（塩素含有水道水中での限界生存時間が短時間側にシフト）の傾向がみられる。ここでも、より成長させてから踊り食いに供することで問題点を解消できる点については同様である。
【００９８】
なお、同様の試験養殖を、バナメイエビに替えてウシエビ（ブラックタイガーエビ）を用いても実施したが、成長に要する期間がバナメイエビの約１．５倍程度必要であった点を除き、特に踊り食いの食感等については表１とほぼ同様の結果が得られた点についても付言する。すなわち、ウシエビを用いても同様の踊り食いが可能となった。
【符号の説明】
【００９９】
１  陸上養殖池
６０  主食器
６０ａ  本体
６０ｂ  蓋
６１  水
６５  器
６５ａ  本体
６５ｂ  蓋
ＳＰ  活きエビ
【図１】
2019092440.tif 000004
【図２】
2019092440.tif 000005
【図３】
2019092440.tif 000006
【図４】
2019092440.tif 000007
【図５】
2019092440.tif 000008
【図６】
2019092440.tif 000009
【図７】
2019092440.tif 000010
【図８】
2019092440.tif 000011
【図９】
2019092440.tif 000012
【図１０】
2019092440.tif 000013
【図１１】
2019092440.tif 000014
【図１２】
2019092440.tif 000015
【図１３】
2019092440.tif 000016
【図１４】
2019092440.tif 000017
【図１５】
2019092440.tif 000018
【図１６】
2019092440.tif 000019
【図１７】
2019092440.tif 000020
【図１８】
2019092440.tif 000021
【図１９】
2019092440.tif 000022
【図２０】
2019092440.tif 000023
【図２１】
2019092440.tif 000024